(57)【要約】      （修正有）【課題】ロープの端を持って撚れないように出せるロープ収納箱を提供する。【解決手段】ロープ収納箱本体１の中に２箇所のロープ止め支柱５を立て、長いロープを支柱と支柱の間から入れていき、片側のロープ止め支柱５では右回りでロープを置いていき、もう一方のロープ止め支柱５では左回りで置いていけば、箱内でロープが８の字を形成し、ロープを引き出す時にロープは撚れずに引き出せる。【選択図】図３
0003181761.tif 000002
【実用新案登録請求の範囲】
【請求項１】
中高層の建築物で生活や仕事をしている人々に、震災などで倒壊したり、座屈するビルの発生時に一刻も早い地上への脱出するためのロープの保管具とロープの扱い方法を提供するため、ロープ収納箱を考案した、ロープ収納箱本体（１）はロープ収納下箱（８）と上蓋（３）からなり、ロープ収納下箱（８）と上蓋（３）は、ロープ収納箱本体（１）の長手方向の片方に蝶番（４）で開閉構造をなし、他方の長手方向のロープ収納下箱（８）に蓋止めラッチ（２）が設けられ、上蓋（３）側にはラッチ受け（９）が設けられ、ラッチを受け止め、蓋止めラッチ（２）を閉めることによってロープ収納した箱（８）と上蓋（３）が一体となってロープ収納箱本体（１）を形成し、上蓋（３）の上中央部には、取手溝（６）が設けられ、溝の中の中央部には動取手（７）が配置され、可動取手（７）を起こすことによって手提げで移動することが可能で、取手溝（６）に倒すことで、ロープ収納箱本体（１）の上面がフラットになり、積み重ねを可能にした構造を有し、また、ロープ収納下箱（８）の中底には、長手中央の端から離れた位置にロープが崩れないようにロープ止め支柱（５）が左右に設置され、ロープの崩れを抑える構造を特徴としたロープ収納箱である。
【考案の詳細な説明】
【技術分野】
【０００１】本案は、防災において市販されているロープは多方が丸めて販売され、ロープの端を取ってそのまま下ろすとロープの輪同士が絡みあって途中で団子になったり、ロープの輪のところでもつれ合ったりして扱いにくく、ロープを裸で輪にして収納しているといつ使うかわからないので、ロープに誇りがたまり、ロープを使用するときに傷が付く恐れがあり、また、収納箱に収まっていればロープに誇りが積もることもなく、８の字を描くようにロープが収納箱に収まったロープを使うときに寄れずに使いやすい収納箱と収納方法を提供することにある。
【背景技術】
【０００２】ロープを保管するとき、丸めたり、束ねたり、裸のままぶら下げているか、袋の中に収納し、押し入れなどで保管し、いざと言う時に探さなければならない事がしばしばで、そんな時、箱にロープが８の字を書くように収納されて使う場所に目に見える形態で前もってロープが箱に収納されていれば、見栄えもよく取り出し易く、ロープ収納箱を開いてとったロープの先端やフックが支持物への長さで先に出せ、支持物に引っ掛けられるか、しばれる長さが上部にあれば、難なく支持物までの長さが出せ、支持することができ、上部のロープが出たことで、次に出すロープの末端や錘が取りやすく、ロープの末端や錘を下方に下ろせるようにロープ収納箱に収まっていれば、ロープの先端や錘を建物外に下ろせれば、下げ切った時に支持物から地面までの距離をロープを絡めないでロープが設置が容易にでき、ロープによる防災路の構築が素早くできるロープ収納箱と収納方法を提供する。
【先行技術文献】
【特許文献】
【０００３】
【特許文献１】実用新案出願２００３−２７１７５７
【非特許文献】
【０００４】
【非特許文献１】ロープ収納袋  HB-GR  サンコー（株）
【非特許文献２】安全帯用ロープ収納袋  MR-41-BL-HD  藤井電工（株）
【非特許文献３】コースロープ収納ボックス  ヤマハ発動機株式会社
【考案の概要】
【考案が解決しようとする課題】
【０００５】丸めて収納してあったロープをそのまましたに投げるとロープは絡み合い地上に届かないことがあり、いざと言う時に何度も投げていてはロープの役目を果たせない、防災の観点からもロープを絡ませず１回で地上にどうしたら伸ばせて降ろせるか、また、次回使うときにどうしたら慌てず迷わず使えるような収納方法を提供する。
【課題を解決するための手段】
【０００６】市販されているロープのほとんどは、丸めて輪っか条で販売され、そのまま内巻きから引き上げても、外巻きから引き上げてもロープがよれ、長ければ長いほど寄れて、キンクを発生し、丸まったままの状態でロープの端を縛って下へ投げればキンクで結び目ができたりと、ロープが使用できないようになってしまうので、ロープの端を持って寄れないように出せるロープ収納箱を提供することにある。ロープ収納箱本体（１）はロープ収納した箱（８）と上蓋（３）からなり、ロープ収納下箱（８）と上蓋（３）はロープ収納箱本体（１）の長手方向の片方で蝶番（４）で一体の箱形態をなし、他方の長手方向ではロープ収納した箱（８）についた蓋止めラッチ（２）と上蓋（８）についたラッチ受け（９）とで閉める事によってロープ収納下箱（８）と上蓋（３）が固定され、ロープ収納箱本体（１）を形成し、上蓋（３）に設けた取手溝（６）に設けたロープ収納箱本体（１）持ち運べる可動取手（７）を設け、可動取手（７）を起こして握って持ち運べる構造を有し、積み重ねての収納時には可動取手は寝かせることで、積み重ねができる構造をゆうする、また、ロープ収納下箱（８）の中には、長手中央の端から少し離れたところに、ロープが崩れないようにロープ止め支柱（５）が長手方向の左右に有し、ロープの崩れを抑える構造を特徴としたロープ収納箱本体（１）で、ロープの長さや太さによって、箱体の大きさや深さを変える必要がある。１  ロープ収納に関して、地震などの災害時を想定し、人がぶら下がっても外れない金具を部屋や外壁でロープが地上まで垂らせられる場所に、設置しておく必要があり、また、金具から地上までのロープの全長、ロープの先端（１３）からロープの末端（１１）までの長さを知り、ロープ全体が８の字で収まる大きさのロープ収納箱本体（１）を用意する。イ）  ロープの収納の仕方  ロープ支持金具に吊るされたロープをロープ収納箱本体（１）が設置する位置まで引っ張り込み、ロープ収納箱本体（１）に届いたところから、ロープの末端（１１）に及ぶロープをロープ収納箱本体（１）の中に８の字を書くように収納していき、ロープの末端（１１）が収まるまで収納する。ロ）ロープの末端（１１）が収まったら、次に支持物についているロープの先端又はフック（１３）を外してロープ収納箱本体（１）に収められているロープ末端部（１１）の上に同じように８の字を書く要領で収納します。ハ）ロープの全長（１１〜１３）がおさまったら、ロープの収納箱本体（１）の上蓋（３）を閉じ、蓋止めラッチ（２）を上蓋（３）についているラッチ受け（９）に引っ掛けて蓋止めラッチ（２）を閉じることで、上蓋（３）の中央についている可動取手（７）を起こして握り、持ち運びが可能にした箱であり、可動取手（７）が取手溝（６）の中に収まることで、ロープ収納箱本体（１）を積み上げられる構造を有する。二）ロープの出し方  ロープの出し方は、入れる方法の逆で、ロープ収納箱本体（１）を設置位置に持って行き、ロープ収納箱本体（１）蓋止めラッチを開いて上蓋（３）をあけ、ロープの一番上に乗っているロープの先端又はフック（１３）を持ちロープ支持金具に設置することで、ロープ収納箱本体（１）に残るロープの末端（���１）が一番上に来ているので、ロープの末端（１１）をベランダや窓の外に垂らすことで、建築物の外側にロープの防災路がロープが寄れることなく出来上がるシステムを提供する。
【考案の効果】
【０００７】ロープ収納箱の、長手方向の両端から離れた中央おところにロープ止め支柱（５）を立て、ロープの収納時に８の字収納の案内になり、収納してからはロープの崩れを防ぎ、使用時には、最初にロープの端やフック（１３）が取りやすく取り出せ、支持物に縛るなりフックを引っ掛けるなりする事ができ、ロープの手違いによる落下を避け、また、ロープ収納箱本体（１）から吊り下げ金具までの距離（１２）とロープ収納箱本体（１）に最初に収めるロープ収納箱本体（１）からロープ末端までの長さ（１１）の２段でロープを収納することから、迷いが生じず、ロープの末端（１１）につけた錘で地上までロープがいざなえ、ロープもある程度の重さになれば、手で送らなくてもロープ自体の重さで出て行き、手を宛てがいながら送り出すことで、ロープによりもキンクも作らず地上へ下ろせ、ロープの収納箱本体（１）が空になればロープ支持物から地上までのロープによる防災路が完成する。
【図面の簡単な説明】
【０００８】
【図１】図１  ロープ収納箱見下げ図
【図２】図２  ロープ収納箱、開き見下げ図
【図３】図３  ロープの収方法図
【図４】図４  ロープ収納位置取り図
【図５】図５  ロープ設置位置取り断面図
【考案を実施するための形態】
【０００９】本発明は、ロープ収納箱本体（１）にロープを８の字を描くように収納することで、ロープ支持物に素早く縛り、又は引っ掛けられ、ロープを地上に下げるにあたっては、ロープの重さでロープがロープ収納箱本体（１）から出ても、ロープ支持物に前もってしばているか引っ掛けている事で、ロープが止まり、ロープ全体（１３、１１）までのロープ全部を地上に落とすことなく、ロープによる防災路を確保する技術の提供にある。
【実施例】
【００１０】イ）  ロープ収納箱本体（１）の内側、ロープ収納下箱（８）の底面でロープ収納箱本体（１）の長手方向の両端から少し離れた中央部にロープ止め支柱（５）を設け、ロープが絡まないように設けられたロープ止め支柱（５）に８の字を描くようにロープが収納された、最上部にロープの先端、又はフック（１３）を建造物の支持材に縛れるか引っ掛けらる所からロープ収納箱本体（１）までの長さ（１２）を残しておき、残りのロープ収納箱本体（１）からロープ末端（１１）までの長さの方を最初にロープ収納箱本体（１）のロープ止め支柱（５）の中央から入れていき、ロープ収納箱本体（１）内のロープ止め支柱（５）の外側を回るように、ロープを置いていく感じで入れていき、ロープ収納箱本体（１）の中央で最初に入れていったロープの上を通し、反対側のロープ止め支柱（５）では反対回りで８の字を書くように収納していき、ロープの末端及び錘（１１）を収納するまで収めたら、残しておいたロープ収納箱本体（１）からロープを吊り下げる支持物までの距離（１２）を最初に収めたロープの上で、ロープの末端（１１）を収納したように８の字を書くように、ロープの先端もしくはフック（１３）が収まるまで収納する。
【産業上の利用可能性】
【００１１】４年以内に関東、東海、南海に大きな地震が起こるとの報道に、現状の市街地では狭い敷地に５階、８階、１０階と建造物が高層化している市街地で、震災にあっては阪神大震災時には、中高層ビルの１階や途中の階が崩落している事例もあり、１階が倒壊すると建造物は出口を塞がれ、途中の階が崩壊すると建造物の避難通路を崩潰した階の天井で塞がり、崩潰した階の上層階が残っていても、地上とには段差が生じ、瓦礫が転がる地上へ飛び降りれば、瓦礫の踏み方いかんでは足の関節を痛め歩くこともできなくなると思われ、地上に降りても支援物資が届く避難所まで行けなければ食料も水も得られず、１０日も食料なしでは命も危ういところで震災後の防災器具としてロープは欠かせないものだろうと思いますが、丸まったままの収納ではロープを地上に投げても、寄りは取れず、綾なし、キンクも発生する、時として時間を争う場面もあり、そんな時、寄れず、あやさず、キンクを作らない収納方法が必要で、防災器具としてのロープを扱うなら、非力な一般市民でも握りやすい太さのロープが必要であり、そんなロープの収容できる容器を提供することにある。
【符号の説明】
【００１２】１    ロープ収納箱本体２    蓋止めラッチ３    上蓋４    蝶番５    ロープ止め支柱６    取手溝７    可動取手８    ロープ収納下箱９    ラッチ受け１０   ロープを収納箱に収め始め位置11    ロープの末端と錘12  ロープの支持材からロープ収納箱本体（１）までの距離１３  ロープの先端又はフック１４  ロープ支持部材１５  ロープが建物の外に防災路として設置される予想線
【図１】
0003181761.tif 000003
【図２】
0003181761.tif 000004
【図３】
0003181761.tif 000005
【図４】
0003181761.tif 000006
【図５】
0003181761.tif 000007